(57)【要約】【課題】使用上の快適感を向上させ、皮膚の過敏を防止する排泄物収容装置を提供する。【解決手段】接続部材と、連接部材と、通気部材とを備え、前記接続部材は、本体を有し、該本体の中央に取付孔が形成され、該取付孔の上下縁に夫々係合凹部が形成されると共に、左右縁に同じ方向へ延伸する係合溝が形成され、該係合凹部が係合溝と連通し、前記連接部材は着脱可能に接続部材の取付孔に取り付けられ、該接続部材の取付孔と結合する一端に連接リングが設けられ、該連接リングの中央にガイド孔が形成されると共に、外側に前記本体の係合凹部から係合溝まで係合する可能な係合ブロックが設けられ、該連接リングと反対する連接部材の一端に収容袋が設けられ、前記通気部材は、軟質のプレートであり、前記接続部材と接触すると共に、連接部材と結合し、該通気部材の中央に前記ガイド孔と連通する中心孔が形成されることを特徴とする。【選択図】図１
0003127539.tif 000002
【実用新案登録請求の範囲】
【請求項１】
接続部材と、連接部材と、通気部材とを備え、
前記接続部材は、本体を有し、該本体の中央に取付孔が形成され、該取付孔の上下縁に夫々係合凹部が形成されると共に、左右縁に同じ方向へ延伸する係合溝が形成され、該係合凹部が係合溝と連通し、
前記連接部材は着脱可能に接続部材の取付孔に取り付けられ、該接続部材の取付孔と結合する一端に連接リングが設けられ、該連接リングの中央にガイド孔が形成されると共に、外側に前記本体の係合凹部から係合溝まで係合する可能な係合ブロックが設けられ、該連接リングと反対する連接部材の一端に収容袋が設けられ、
前記通気部材は、軟質のプレートであり、前記接続部材と接触すると共に、連接部材と結合し、該通気部材の中央に前記ガイド孔と連通する中心孔が形成される
ことを特徴とする排泄物収容装置。
【請求項２】
前記本体における取付孔の両側に複数の通気孔が形成され、該本体の両側の付近に結合孔が形成され、該結合孔に人体に取り付けるための結合部材が設けられ、
前記通気部材における中心孔の周囲に前記本体の通気孔と対応する貫通孔が形成される
ことを特徴とする請求項１に記載の排泄物収容装置。
【請求項３】
前記収容袋は連接リングと異なる一端がオープン状であり、該端に挟持具が設けられることにより、該端を封閉させる
ことを特徴とする請求項１又は２に記載の排泄物収容装置。
【考案の詳細な説明】
【技術分野】
【０００１】
本考案は、特に使用上の快適感を向上させ、皮膚の過敏を防止する排泄物収容装置に関するものである。
【背景技術】
【０００２】
近年、直腸癌や外傷や事故により人工肛門の手術を受ける患者は増え続けているが、これらの患者は直腸や肛門などの手術を受けた後、体に腸と連通する開口を設ける人工肛門の手術を受けることにより、排泄物を体内から外側に排出することが可能となる。
【０００３】
図７に示すように、従来では、排出した排泄物を収集するために、前記開口を有する人工肛門に排泄物収容装置（５０）が設けられ、該排泄物収容装置（５０）は、収容袋（５１）と、該収容袋（５１）に結合される接着テープ（５２）とを有し、該接着テープ（５２）が人工肛門の周囲の皮膚と接着させることにより、排泄物収容装置（５０）を人工肛門に設置させる。又、収容袋（５１）を交換しようとする場合、新たな収容袋（５１）を接着テープ（５２）によって人工肛門の周囲の皮膚と接着するだけでよい。
【０００４】
しかし、前記接着テープ（５２）によって収容袋（５１）を皮膚に接着する排泄物収容装置は、接着テープ（５２）を繰り返し使用するため、収容袋（５１）の脱落やずれ問題が発生しやすく、又、長時間接着テープ（５２）を使用するにより、皮膚の過敏を発生しやすい恐れがあった。
【０００５】
又、本願の考案者は、台湾実用新案公告第Ｍ２８５３３７号「人工直腸の排泄物の収容装置」が提案され、製造コストや重さの低減可能な収容装置（６０）が提供され、該収容装置（６０）は、図８及び図９に示すように、接続部材（６１）と、連接部材（６２）と、収容袋（６３）とを有し、該接続部材（６１）は、人体の皮膚と接触すると共に、人体に設けられた開口と連通する取付孔（６１１）が形成され、該連結部材（６２）は、着脱可能に該取付孔（６１１）に取り付けられ、該収容袋（６３）は連結部材（６２）と連結することにより、排泄物を収集する。又、前記全ての部材はゴム又はプラスチック材からなるので、収容装置の軽量化を達成できる。
【考案の開示】
【考案が解決しようとする課題】
【０００６】
しかしながら、図９に示すように、前記連接部材（６２）の一端は人体の皮膚と密接することから、使用者に不快感を与えてしまう恐れがあるので、更に改良する必要がある。
【０００７】
そこで、案出されたのが本考案であって、使用上の快適感を向上させ、皮膚の過敏を防止する排泄物収容装置を提供することを目的としている。
【課題を解決するための手段】
【０００８】
本願の請求項１の考案は、接続部材と、連接部材と、通気部材とを備え、前記接続部材は、本体を有し、該本体の中央に取付孔が形成され、該取付孔の上下縁に夫々係合凹部が形成されると共に、左右縁に同じ方向へ延伸する係合溝が形成され、該係合凹部が係合溝と連通し、前記連接部材は着脱可能に接続部材の取付孔に取り付けられ、該接続部材の取付孔と結合する一端に連接リングが設けられ、該連接リングの中央にガイド孔が形成されると共に、外側に前記本体の係合凹部から係合溝まで係合する可能な係合ブロックが設けられ、該連接リングと反対する連接部材の一端に収容袋が設けられ、前記通気部材は、軟質のプレートであり、前記接続部材と接触すると共に、連接部材と結合し、該通気部材の中央に前記ガイド孔と連通する中心孔が形成されることを特徴とする排泄物収容装置、を提供する。
【０００９】
本願の請求項２の考案は、前記本体における取付孔の両側に複数の通気孔が形成され、該本体の両側の付近に結合孔が形成され、該結合孔に人体に取り付けるための結合部材が設けられ、前記通気部材における中心孔の周囲に前記本体の通気孔と対応する貫通孔が形成されることを特徴とする請求項１に記載の排泄物収容装置。
【００１０】
本願の請求項３の考案は、前記収容袋は連接リングと異なる一端がオープン状であり、該端に挟持具が設けられることにより、該端を封閉させることを特徴とする請求項１又は２に記載の排泄物収容装置、を提供する。
【考案の効果】
【００１１】
本考案は上記の課題を解決するものであり、人体の皮膚と接続部材との間に軟質且つ貫通孔を有する通気部材が設けられることにより、人体に長時間使用しても、不快感を起こすことがない効果を有するだけではなく、排泄物の漏れを防止する効果や皮膚の過敏を防止する防止効果も有する。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る排泄物収容装置の斜視図であり、図２は本考案に係る排泄物収容装置の分解斜視図であり、図３は本考案に係る排泄物収容装置の使用状態を示す断面図であり、図４は本考案に係る排泄物収容装置の使用状態を示す斜視図であり、図５は本考案に係る排泄物収容装置の使用状態を示す側面断面図であり、図６は本考案に係る排泄物収容装置の他の使用状態を示す斜視図である。
【００１４】
図１及び図２に示すように、本考案に係る排泄物収容装置は、接続部材（１０）と、連接部材（２０）と、通気部材（３０）とを備え、該接続部材（１０）は、ポリウレタン（ＰＵ）からなる本体（１１）を有し、該本体（１１）の中央に人体における人工肛門と対応する取付孔（１１１）が形成され、該取付孔（１１１）の上下縁に夫々係合凹部（１１２）が形成されると共に、左右縁に同じ方向へ延伸する係合溝（１１３）が形成され、該係合凹部（１１２）が係合溝（１１３）と連通する。
【００１５】
又、前記本体（１１）における取付孔（１１１）の両側に複数の通気孔（１１４）が形成され、該本体（１１）の両側の付近に結合孔（１１５）が形成され、図６に示すように、該結合孔（１１５）にベルトなどの結合部材（１２）が設けられることにより、接続部材（１０）を人体と結合することができる。
【００１６】
前記連接部材（２０）は着脱可能に接続部材（１０）の取付孔（１１１）に取り付けられると共に、ポリウレタン（ＰＵ）からなり、該接続部材（１０）の取付孔（１１１）と結合する一端に連接リング（２１）が設けられ、該連接リング（２１）の中央に人体の人工肛門と連通するガイド孔（２１１）が形成されると共に、外側に前記本体（１１）の係合凹部（１１２）から係合溝（１１３）まで係合する可能な係合ブロック（２１２）が設けられ、図３に示すように、連接部材（２０）を本体（１１）に対して回転することにより、連接部材（２０）を本体（１１）と結合することができる。
【００１７】
又、図４に示すように、前記連接リング（２１）と反対する連接部材（２０）の一端に収容袋（２２）が設けられ、人体から排出する排泄物がガイド孔（２１１）を通じて収容袋（２２）に収集することができ、又、本考案の連接部材（２０）と収容袋（２２）は使い捨てることができるので、使用上非常に便利である。
【００１８】
又、図６に示すように、該収容袋（２２）は連接リングと異なる一端がオープン状であり、該端に挟持具（２３）が設けられることにより、該端を封閉させ、又、該挟持具（２３）を取り外して、収容袋（２２）に収容した排泄物を排出させた後、該挟持具（２３）を該端に取り付けることにより、収容袋（２２）を繰り返して使用することができる。
【００１９】
図２及び図５に示すように、前記通気部材（３０）は、軟質のシリコンからなるプレートであり、前記接続部材（１０）と接触すると共に、連接部材（２０）と結合し、該通気部材（３０）の中央に前記ガイド孔（２１１）と連通する中心孔（３１）が形成されると共に、該中心孔（３１）の周囲に前記本体（１１）の通気孔（１１４）と対応する貫通孔（３２）が形成される。
【００２０】
前記接続部材（１０）と皮膚との間に軟質の通気部材（３０）が設けられるので、長時間使用しても、不快感を起こすことがない効果を有するだけではなく、排泄物の漏れを防止する効果も有する。更に、接続部材（１０）と通気部材（３０）に通気性を向上する通気孔（１１４）と貫通孔（３２）が形成されるので、長時間の使用により皮膚の過敏も防止できる。
【産業上の利用可能性】
【００２１】
本考案は上記の構成を有するので、人体の皮膚と接続部材との間に軟質且つ貫通孔を有する通気部材が設けられることにより、人体に長時間使用しても、不快感を起こすことがない効果を有するだけではなく、排泄物の漏れを防止する効果や皮膚の過敏を防止する防止効果も有する。
【図面の簡単な説明】
【００２２】
【図１】本考案に係る排泄物収容装置の斜視図である。
【図２】本考案に係る排泄物収容装置の分解斜視図である。
【図３】本考案に係る排泄物収容装置の使用状態を示す断面図である。
【図４】本考案に係る排泄物収容装置の使用状態を示す斜視図である。
【図５】本考案に係る排泄物収容装置の使用状態を示す側面断面図である。
【図６】本考案に係る排泄物収容装置の他の使用状態を示す斜視図である。
【図７】従来の排泄物収容装置を人体に使用する状態を示す斜視図である。
【図８】従来の排泄物収容装置の斜視図である。
【図９】従来の排泄物収容装置の断面図である。
【符号の説明】
【００２３】
１０        接続部材
１１        本体
１１１      取付孔
１１２      係合凹部
１１３      係合溝
１１４      通気孔
１１５      結合孔
１２        結合部材
２０        連接部材
２１        連接リング
２１１      ガイド孔
２１２      係合ブロック
２２        収容袋
２３        挟持具
３０        通気部材
３１        中心孔
３２        貫通孔
５０        排泄物収容装置
５１        収容袋
５２        接着テープ
６０        収容装置
６１        接続部材
６１１      取付孔
６２        連接部材
６３        収容袋
【図１】
0003127539.tif 000003
【図２】
0003127539.tif 000004
【図３】
0003127539.tif 000005
【図４】
0003127539.tif 000006
【図５】
0003127539.tif 000007
【図６】
0003127539.tif 000008
【図７】
0003127539.tif 000009
【図８】
0003127539.tif 000010
【図９】
0003127539.tif 000011